(57)【要約】      （修正有）【課題】撮影映像の検出光線の行程を最小限に縮小し、撮影映像光線を減衰させることなく、映像と色彩を完全に再現することができる映像集積回路組合せ構造を提供する。【解決手段】一種の映像集積回路１００組合せ構造、主に感光信号層１０及び半導体回路層２０より構成する。そのうち、感光信号層より該対象映像の光源を受信し、目的の映像感光電気信号に変換し感光信号層の下部に若干数の導体端子１２を設け、該導体端子は映像感光電気信号の出力に備える。該半導体回路層と感光信号層下部の導体端子と結合し、映像感光電気信号を半導体回路層に入力し、該半導体回路層により映像感光電気信号を処理した後、デジタル式の映像信号又はデータを出力し、物像映像光源の行程を最短に縮小する集積回路組合せ機構を構成する。【選択図】図６
0003129846.tif 000002
【実用新案登録請求の範囲】
【請求項１】
感光信号層を設け、撮影映像の光源を検出し、目的の感光電気信号を出力し、電荷を保存する、感光信号層の下部に若干数の導体端子を設け、該導体端子により該感光電気信号を誘導して出力する、
半導体回路層を感光信号層の下部に連結した後、該感光信号層下部の各導体端子に連結し、感光信号層より出力する感光電気信号の処理を行い、撮影映像に対応するデジタル式映像信号又はデータを出力することを特徴とする一種の映像集積回路組合せ構造。
【請求項２】
該感光信号層に若干数のセンサーを設けることを特徴とする請求項１記載の映像集積回路組合せ構造。
【請求項３】
該感光信号層の頂部にカラーフィルタ層を設けることを特徴とする請求項１記載の映像集積回路組合せ構造。
【請求項４】
該カラーフィルタ層は感光信号層に粘着することを特徴とする請求項３記載の映像集積回路組合せ構造。
【請求項５】
該カラーフィルタ層は感光信号層に蒸着することを特徴とする請求項３記載の映像集積回路組合せ構造。
【請求項６】
該カラーフィルタ層に若干数のフィルタ単元を設けることを特徴とする請求項３記載の映像集積回路組合せ構造。
【考案の詳細な説明】
【技術分野】
【０００１】
本考案は一種の映像集積回路組合せ構造、特に映像処理集積回路に利用され、感光信号層を半導体回路層の頂部に結合し、撮影映像行程を短縮させる映像集積回路組合せ機構に関わるものである。
【背景技術】
【０００２】
デジタル式映像集積回路は、様々な撮影設備に幅広く応用されている。デジタルカメラ、デジタル・ビデオカメラ及びカメラつき携帯電話などのデジタル式撮影設備は、該デジタル式映像集積回路により、アナログ式の映像をデジタル式の信号又はデータに変換した上、デジタル式撮影設備に処理、表示、又は保存応用に備える。
【０００３】
公知技術の集積回路は図１に示す通り、該映像集積回路１は主にカラーフィルタ２、半導体素子層３及び感光素子層４を含まれる。そのうち、該カラーフィルタ２に若干数のフィルタ単元２ａを仕切り、各フィルタ単元２ａは撮影物像のＲＧＢ光源を濾過し、該カラーフィルタ２は半導体素子層３の頂部と結合し、該半導体素子層３内部に若干数の導光区域３ａを仕切り、各導光区域３ａはそれぞれ該カラーフィルタ２の各フィルタ単元２ａに対応する。さらに、該導光区域３ａは上から下へ半導体素子層３全体を貫通させ、各フィルタ単元２ａが濾過及び出力したＲＧＢカラー光源は該導光区域３ａを貫通し、該半導体素子層３下部より出射する。該感光素子層４は半導体素子層３の底面に結合し、該感光素子層４の表面に若干数のセンサー４ａ及び若干数の端子４ｂを設ける。各センサー４ａは該半導体素子層３の導光区域３ａそれぞれに対応させ、カラーフィルタ２に備える各フィルタ単元２ａより濾過及び出力したＲＧＢカラー光源を受信し、各センサー４ａの検出により感光電気信号を生成し、各端子４ｂより出力する。各端子４ｂを半導体素子層３内部回路に連結することにより、半導体素子層３より該映像感光電気信号を半導体素子層３に出力及び処理を行い、該半導体素子層３よりデジタル式映像信号又はデータを出力する。
【０００４】
前記した公知技術の映像集積回路１の構造は、生産工程において、半導体素子層３に導光区域３ａと半導体素子、回路を設けるとき、半導体素子、回路はレイアウト（ｌａｙｏｕｔ）設計のとき、導光区域３ａを避けなければならない。このため、半導体素子、回路のレイアウトに難度を増大し不便をきたす。さらに、レイアウトの層数が多くなると、半導体素子層３の体積と厚みが増加し、映像集積回路１全体の生産コストアップにない、デジタル撮影機材産業の利用に不利な影響を与えかねない。
【０００５】
引き続き、図２を参照する。前記の公知技術の映像集積回路１は光学撮影に応用するとき、物像の撮影光線Ａはレンズ５により屈折した後、カラーフィルタ２、半導体素子層３の導光区域３ａを経て、感光素子層に伝送される。このような長い光学光線の経路において、映像は光線の折射により、半導体素子層３の導光区域３ａに伝送するうち、光強度の減衰と色の歪みを形成し、感光素子層４の各センサー４ａより検出した映像データに画像の不鮮明、輝度の低下及び原色表示できずなどの歪みを生じる問題が発生する。このため、該映像集積回路１にその他の補償回路を設けて、映像データの補償及び修正を行わなければならない。しかしながら、これらの補償並びに修正は映像を真実に再現できないため、公知技術の映像集積回路１は良い撮影映像の品質が得られない。
【０００６】
公知技術の特許文献は、特許文献１「Ｃｏｌｏｒ  ｆｉｌｔｅｒ  ｏｆ  ｉｍａｇｅ  ｓｅｎｓｏｒ，  ｉｍａｇｅ  ｓｅｎｓｏｒ，  ａｎｄ  ｍｅｔｈｏｄ  ｏｆ  ｍａｎｕｆａｃｔｕｒｉｎｇ  ｔｈｅ  ｉｍａｇｅ  ｓｅｎｓｏｒ」において、公知技術の典型的な映像集積回路が公開されている。そのうち、該映像集積回路は半導体層とカラーフィルタの間に金属導線レイアウトの中間層と映像活性化画素層を設け、該映像の撮影品質の向上を図る。しかしながら、これにより撮影映像光線の経路を長くしたため、映像の光線減衰及び歪みがより深刻化させている。その上、該映像集積回路の材質と体積が膨大化し、半導体レイアウトの難度と生産コストアップとなった。
【０００７】
【特許文献１】米国特許公告第２００５／００６７６６８号明細書
【考案の開示】
【考案が解決しようとする課題】
【０００８】
感光信号層を半導体回路層の頂部に直接組み込み、撮影映像の検出光線の行程を最小限に縮小し、撮影映像光線の光線は減衰することなく、真実の映像と色彩品質の完全に再現を図る、一種の映像集積回路組合せ構造を提供することを本考案の主な目的である。
【０００９】
該半導体回路層に導光区域又は光経路を設けない、該半導体回路層の半導体素子及び回路レイアウトの簡素化、及び半導体素子と回路レイアウトの設計コストを軽減する、一種の映像集積回路組合せ構造を提供することを本考案のもう一つの目的である。
【００１０】
感光信号層と半導体回路層を一体化した組合せ構造により、体積を大幅に縮小し、デジタル撮影機材産業の利用に便利させる、一種の映像集積回路組合せ構造を提供することを本考案の又一つの目的である。
【００１１】
前記の目的を達成するため、本考案の映像集積回路組合せ構造は主に感光信号層及び半導体回路層より構成する。そのうち、感光信号層より該対象画像の光源を受信し、目的の画像感光電気信号に変換及び出力する。該感光信号層の下部に若干数の導体端子を設け、該導体端子は画像感光電気信号の出力に備える。該半導体回路層と感光信号層下部の導体端子と結合し、画像感光電気信号を半導体回路層に入力し、該半導体回路層により画像感光電気信号を処理した後、デジタル式の画像信号又はデータを出力し、本考案の真実な映像の再現を実現し、半導体回路の製造及びレイアウトコストを軽減させ、映像集積回路の体積を縮小する効果を有する。
【課題を解決するための手段】
【００１２】
請求項１の考案は、感光信号層を設け、撮影映像の光源を検出し、目的の感光電気信号を出力し、電荷を保存する、感光信号層の下部に若干数の導体端子を設け、該導体端子により該感光電気信号を誘導して出力する、
半導体回路層を感光信号層の下部に連結した後、該感光信号層下部の各導体端子に連結し、感光信号層より出力する感光電気信号の処理を行い、撮影映像に対応するデジタル式映像信号又はデータを出力することを特徴とする一種の映像集積回路組合せ構造としている。
請求項２の考案は、該感光信号層に若干数のセンサーを設けることを特徴とする請求項１記載の映像集積回路組合せ構造としている。
請求項３の考案は、該感光信号層の頂部にカラーフィルタ層を設けることを特徴とする請求項１記載の映像集積回路組合せ構造としている。
請求項４の考案は、該カラーフィルタ層は感光信号層に粘着することを特徴とする請求項３記載の映像集積回路組合せ構造としている。
請求項５の考案は、該カラーフィルタ層は感光信号層に蒸着することを特徴とする請求項３記載の映像集積回路組合せ構造としている。
請求項６の考案は、該カラーフィルタ層に若干数のフィルタ単元を設けることを特徴とする請求項３記載の映像集積回路組合せ構造としている。
【考案の効果】
【００１３】
本考案は映像集積回路組合せ構造、本考案の真実な映像の再現を実現し、半導体回路の製造及びレイアウトコストを軽減させ、映像集積回路の体積を縮小する効果を有する。
【考案を実施するための最良の形態】
【００１４】
図３及び図４に示すものは、本考案の映像集積回路１００の実施例１である。そのうち、該映像集積回路１００は感光信号層１０を設け、該感光信号層１０に若干数のセンサー１１を設け、各センサー１１により、該撮影映像の光源を検出し、対応の感光電気信号に変換し出力及び電荷を保存する。該感光信号層１０の下部に若干数の導体端子１２を設け、各導体端子１２はセンサー１１より出力した感光電気信号を連結し、誘導して出力する。
【００１５】
半導体回路層２０を感光信号層１０下部に結合し、該半導体回路層２０内部に若干数の半導体素子及び回路レイアウトを設け、映像信号のデジタル処理及び出力機能を提供する。該半導体回路層２０の頂部に感光信号層１０下部の導体端子１２に連結し、該感光信号層１０に備える各センサー１１より出力した感光電気信号を連結し、半導体回路層２０内部の半導体素子及び回路に入力し、処理を行い、目的の撮影映像のデジタル式映像信号又はデータを出力する。
【００１６】
さらに、図５と図６は図３と図４に示す実施例１の映像集積回路１００の撮影映像光線の経路を示す。そのうち、該撮影映像光線Ｂはレンズ２００により、集約及び屈折された後、感光信号層１０の各センサー１１に入射し、撮影映像光線Ｂを映像集積回路１００に投射する経路が最短となり、該映像集積回路１００下部層に備える半導体回路層２０に導光区域又は導光経路を設けることなく、真実な撮影映像光線の強度及びグレースケールを再現し、その後の回路シミュレーションや補償設計のコストを大幅に軽減できる。
【００１７】
図７と図８は、本考案の映像集積回路１００の実施例２を示す。そのうち、該感光信号層１０の頂部はカラーフィルタ層３０と結合し、該カラーフィルタ層３０に若干数のフィルタ単元３１を設け、各フィルタ単元３１は撮影映像の赤、緑、青三原色光源の濾過処理を行い、カラーフィルタ層３０のフィルタ単元３１下部より出力する。
【００１８】
前記の感光信号層１０に備える各センサー１１は、該カラーフィルタ層３０のフィルタ単元３１下部より出力された、濾過済み撮影映像のカラー光源を検出し、目的の感光電気信号に変換して出力する。引き続き、該感光信号層１０下部の各導体端子１２により、センサー１１より出力したカラー感光電気信号を連結し、該半導体回路層２０に誘導して、半導体回路層２０内部の半導体素子及び回路にて処理を行い、目的の撮影映像のデジタル式映像信号又はデータを出力する。
【００１９】
前記の感光信号層１０とカラーフィルタ層３０との結合構造並びに方式に限ることなく、本考案において粘着方式を使用する。カラーフィルタ層３０を感光信号層１０表面に蒸着するなどの等効果組合せ構造もなお本考案の範疇に含まれるものとする。
【００２０】
図９と図１０は、図７と図８に示す実施例２の映像集積回路１００の撮影映像光線経路である。そのうち、該撮影映像光線Ｃはレンズ２００により集約及び屈折された後、該カラーフィルタ層３０（図９の前方方向）に入射し、カラーフィルタ層３０は各フィルタ単元３１により濾過された撮影映像のカラー光源を感光信号層１０のセンサー１１にそのまま投射し、撮影映像光線Ｃが映像集積回路１００に投射する経路が最短のため、該映像集積回路１００下部層の半導体回路層２０に導光区域又は導光経路を設けることなく、真実な撮影映像光線の強度及び色彩を再現でき、その後の回路シミュレーションや補償設計のコストを大幅に軽減できる。
【００２１】
図１１に示すものは、本考案の映像集積回路１００の好ましい実施例である。デジタルカメラ３００における応用態様を示す。該映像集積回路１００は該カラーフィルタ層３０、感光信号層１０及び半導体回路層２０の一体化した組合せ構造により、体積と回路レイアウト設計、生産コストを大幅に軽減できるため、デジタルカメラ３００に応用する場合、デジタルカメラ３００をさらに軽小短薄化できる。
【図面の簡単な説明】
【００２２】
【図１】公知技術の映像集積回路の立体分解構造図である。
【図２】図１に類似する断面視図であり、公知技術の映像集積回路の撮影映像の光学経路を示す。
【図３】本考案の実施例１の映像集積回路の立体外観構造図である。
【図４】本考案図３の立体分解構造図である。
【図５】図３の断面図である。
【図６】図５に類似する断面視図であり、本考案の映像集積回路の撮影映像の光学経路を示す。
【図７】本考案の実施例２の実施態様図である。
【図８】本考案図７の立体分解構造図である。
【図９】図７の断面図である。
【図１０】図９に類似する断面視図であり、本考案の映像集積回路の撮影映像の光学経路を示す。
【図１１】本考案の好ましい応用例図である。
【符号の説明】
【００２３】
１００  映像集積回路
１１  センサー
２０  半導体回路層
１０  感光信号層
１２  導体端子
３０  カラーフィルタ層
３１  フィルタ単元
３００  デジタルカメラ
Ａ、Ｂ、Ｃ  撮影映像光線
１  映像集積回路
２ａ  フィルタ単元
３ａ  導光区域
４ａ  センサー
５  レンズ
２００  レンズ
２  カラーフィルタ
３  半導体素子層
４  感光素子層
４ｂ  端子
【図１】
0003129846.tif 000003
【図２】
0003129846.tif 000004
【図３】
0003129846.tif 000005
【図４】
0003129846.tif 000006
【図５】
0003129846.tif 000007
【図６】
0003129846.tif 000008
【図７】
0003129846.tif 000009
【図８】
0003129846.tif 000010
【図９】
0003129846.tif 000011
【図１０】
0003129846.tif 000012
【図１１】
0003129846.tif 000013